(57)【要約】【課題】  １台の洗浄器用カートリッジを永く有効使用できるように、簡素な装置を用いて、容易に濾材の洗浄を行い得る浄水器カートリッジ用逆洗再生装置を提供することを目的とする。【解決手段】  被洗浄対象の濾過用カートリッジ体１の原水取入接続部２と同一形状の接続部３を一端側４ａに有する接続ホース４と、接続ホース４の他端側４ｂが接続されると共にカートリッジ体１を保持する保持具５と、を備える。さらに、保持具５に保持されたカートリッジ体１の浄水出口部６と接続ホース４の他端側４ｂを密に接続するように構成される。また、保持具５は、接続ホース４の他端側４ｂが接続されたホース接続部位26に、シール部材15を備え、さらに、シール部材15を押圧して浄水出口部６と密に接続するためにカートリッジ体１を弾発的にホース接続部位26の側へ押圧する弾発部材14を備える。【選択図】  図１
2005087875.tif 000002
【特許請求の範囲】
【請求項１】
被洗浄対象の濾過用カートリッジ体（１）の原水取入接続部（２）と同一形状の接続部（３）を一端側（４ａ）に有する接続ホース（４）と、該接続ホース（４）の他端側（４ｂ）が接続されると共に上記カートリッジ体（１）を保持する保持具（５）と、を備え、  かつ、該保持具（５）に保持された上記カートリッジ体（１）の浄水出口部（６）と上記接続ホース（４）の他端側（４ｂ）を密に接続するように構成されたことを特徴とする浄水器カートリッジ用逆洗再生装置。
【請求項２】
上記保持具（５）は、上記接続ホース（４）の他端側（４ｂ）が接続されたホース接続部位（26）に、シール部材（15）を備え、さらに、該シール部材（15）を押圧して上記浄水出口部（６）と密に接続するために上記カートリッジ体（１）を弾発的に上記ホース接続部位（26）の側へ押圧する弾発部材（14）を備える請求項１記載の浄水器カートリッジ用逆洗再生装置。
【請求項３】
被洗浄対象の濾過用カートリッジ体（１）の原水取入接続部（２）と同一形状の接続部（28）を一端側（４ａ）に有する接続ホース（４）と、該接続ホース（４）の他端側（４ｂ）と上記カートリッジ体（１）を着脱自在に接続する雄ねじ雌ねじ結合（50）と、を備え、
かつ、該雄ねじ雌ねじ結合（50）によって接続された上記カートリッジ体（１）の浄水出口部（６）と上記接続ホース（４）の他端側（４ｂ）を密に接続するように構成されたことを特徴とする浄水器カートリッジ用逆洗再生装置。
【発明の詳細な説明】
【技術分野】
【０００１】
本発明は、家庭台所等の水栓用浄水器のカートリッジ内部を洗浄する逆洗再生装置に関するものである。
【背景技術】
【０００２】
従来、浄水器カートリッジは、透明窓を具備し、この透明窓から、カートリッジに内蔵された中空糸等の濾材の汚れ具合により動作する抵抗体を確認することにより、交換時期を判断するものが知られている（例えば、特許文献１）。
【特許文献１】特開平５−７８６７号公報
【発明の開示】
【発明が解決しようとする課題】
【０００３】
この従来の浄水器によって、日々（繰り返し）水道水の浄化を行うと、カートリッジ内の濾材が水道水内の微小な粒子やゴミを濾過して取り除くので、濾材の汚れが増す一方である。よって、綺麗な浄水を得るために、カートリッジを定期的に交換しなければならず、特に不純物の多い水質の場合は短期間での交換の必要が生じ、旧カートリッジは使い捨てとなり資源の大きな無駄が生じている。
【０００４】
そこで、本発明は、１台の洗浄器用カートリッジを永く有効使用するために、簡素な装置を用いて、容易に濾材の洗浄を行い得る浄水器カートリッジ用逆洗再生装置を提供することを目的とする。
【課題を解決するための手段】
【０００５】
上記の目的を達成するために、本発明に係る浄水器カートリッジ用逆洗再生装置は、被洗浄対象の濾過用カートリッジ体の原水取入接続部と同一形状の接続部を一端側に有する接続ホースと、該接続ホースの他端側が接続されると共に上記カートリッジ体を保持する保持具と、を備え、かつ、該保持具に保持された上記カートリッジ体の浄水出口部と上記接続ホースの他端側を密に接続するように構成されている。
【０００６】
また、上記保持具は、上記接続ホースの他端側が接続されたホース接続部位に、シール部材を備え、さらに、該シール部材を押圧して上記浄水出口部と密に接続するために上記カートリッジ体を弾発的に上記ホース接続部位の側へ押圧する弾発部材を備える。
【０００７】
また、被洗浄対象の濾過用カートリッジ体の原水取入接続部と同一形状の接続部を一端側に有する接続ホースと、該接続ホースの他端側と上記カートリッジ体を着脱自在に接続する雄ねじ雌ねじ結合と、を備え、かつ、該雄ねじ雌ねじ結合によって接続された上記カートリッジ体の浄水出口部と上記接続ホースの他端側を密に接続するように構成されている。
【発明の効果】
【０００８】
本発明は、次のような著大な効果を奏する。
【０００９】
浄水器本体の原水出口接続部と、カートリッジ体の浄水出口部とを、接続ホースにより、容易に、密に（漏水することなく）接続することができる。そして、（台所等の）水栓から、水道水を流すことにより、カートリッジ体内に、浄水出口部から（通常の使用状態に於ける水の流れとは逆向きに）流入させることができるので、（中空糸等の）濾材に付着した水道水内の微小な粒子やゴミを排出させることができ、容易に逆洗再生作業を行うことができる。
【００１０】
このように、濾材が汚れてきたら、本発明の逆洗再生装置で微小な粒子やゴミを取り除く作業を行えば、１台の洗浄器用カートリッジが、永く有効使用できるようになり、資源の有効利用になる。
【発明を実施するための最良の形態】
【００１１】
以下、実施の形態を示す図面に基づき、本発明を詳説する。
図１，図２は本発明の逆洗再生装置Ｒの実施の一形態を示し、被洗浄対象となる浄水装置Ｃは、図３，図４，図５に示すように、家庭用台所等の水栓12へ取付けられて水道水が供給される浄水器本体10と、浄水器本体10の原水出口接続部11と雄ねじ雌ねじ結合・分離自在な原水取入接続部２を有する濾過用カートリッジ体１と、から成る。
図例では、原水取入接続部２が雄側であって外周に係止突部２ａを有する短円筒形状で、原水出口接続部11が雌側であって内周に係止突部11ａを有する孔形状であるが、逆の構成でもよい。
【００１２】
該カートリッジ体１は、濾材40として中空糸35や（図示省略の）活性炭を内蔵する。
また、カートリッジ体１の一方側１ａには、浄水器本体10に備えられた切替レバー27を浄水使用状態に切替えた時に（濾材40で濾過された）浄水を流すための浄水出口部６を、備えている。
25は、水道水が濾過され浄水となって、浄水出口部６から流れ出るまでの流れを示す矢印である。
【００１３】
図１，図６及び図７では、浄水装置Ｃが、カートリッジ体１と浄水器本体10とに分離されて（図５参照）、逆洗再生装置Ｒにセットされる状態を示す。
逆洗再生装置Ｒは、被洗浄対象のカートリッジ体１の原水取入接続部２と同一形状の接続部３を一端側４ａに有する接続ホース４を備えている。
接続部３は雄側であって、外周に係止突部３ａを有する短円筒形状である。
接続ホース４の一端側４ａの接続部３と、浄水器本体10の原水出口接続部11とは、漏水防止用の（図示省略の）パッキンを介して、接続結合される。
浄水器本体10は、水栓12に取付けられた状態である。
【００１４】
さらに、逆洗再生装置Ｒは、接続ホース４の他端側４ｂが接続されると共にカートリッジ体１を保持する保持具５を、備えている。
保持具５は、カートリッジ体１の一方側１ａを（後述するように）シール部材15を挟んで保持する接続板部９と、接続板部９に固着された一対の帯板から成る第１枠体５Ａと、合体ピン16にて第１枠体５Ａと合体取外自在となる第２枠体５Ｂと、から成り、第２枠体５Ｂは、カートリッジ体１の他方側１ｂを包囲状に囲うような略門型形状である。
第１枠体５Ａ及び第２枠体５Ｂは、複数の高さ調節孔部を有し、カートリッジ体１の高さ寸法に対応して、第２枠体５Ｂの取付位置の調節を、上記孔部への上記合体ピン16の抜き差しにて行う。
【００１５】
そして、接続ホース４の他端側４ｂが、接続板部９の一面側９ａのホース接続部位26に、ナット部材やホースバンド等により接続される。
また、接続板部９の他面側９ｂのホース接続部位26に、シール部材15が備えられ、カートリッジ体１は、一方側１ａをシール部材15に当接状として、保持具５に保持される。
【００１６】
さらに、保持具５は、浄水出口部６と接続ホース４の他端側４ｂとを密に（漏水することなく通水可能なように）接続するためにカートリッジ体１を弾発的にホース接続部位26の側へ押圧する弾発部材14を、備えている。
具体的には、弾発部材14は、略門型の第２枠体５Ｂに形成されたねじ孔部20に取り付けられたねじ杆付きハンドル18と、ハンドル18の端部18ａとカートリッジ体１の他方側１ｂとの間に付設された押圧コイルバネ17と、から成る。
ハンドル18を回転させて進退することで、押圧コイルバネ17の押圧力を調整できる。あるいは、上記ねじ孔部20の代わりに単なる貫孔とし、また、ハンドル18を、押し込み棒付きハンドルとし、押し込み棒には該当するカートリッジ体１を押込コイルバネ17が適した圧力で押圧する寸法の位置に戻り止めの突起部を設けておいて、ハンドルの回転方向によって、上記戻り止めの突起部の（係止の）ＯＮ−ＯＦＦが可能な構造としても好ましい。そのときには、カートリッジ体１の脱着をワンタッチで行うことができる利点がある。
【００１７】
上記のような逆洗再生装置Ｒの使用方法（取付け方法）について説明する。
図４に於て、通常の浄水装置Ｃの使用方法は、水道水（原水）が、カートリッジ体１の原水取入接続部２から入り、濾材40に微小な粒子や微細なゴミが付着して（濾過されて）、浄水になって浄水出口部６から流出する。
【００１８】
この浄水装置Ｃの浄水器本体10とカートリッジ体１とを分離し、図７のように、浄水器本体10の原水出口接続部11と、接続ホース４の一端側４ａの接続部３とを、（この接続部３を僅かに回転させて）係止突部３ａ，11ａの係止によって接続する。
そして、保持具５の押圧コイルバネ17を縮めて、カートリッジ体１を矢印37のようにセットする。
即ち、カートリッジ体１の一方側１ａをシール部材15に当接させると共に、他方側１ｂが押圧コイルバネ17から押圧力を受けるようにして、図１の状態へセットする。
【００１９】
そして、ハンドル18を押圧移動して（ねじり）、押圧コイルバネ17の押圧力でカートリッジ体１の他方側１ｂを押圧して、カートリッジ体１の一方側１ａを、保持具５のシール部材15に密に当接させて、浄水出口部６と接続ホース４の他端側４ｂとを、密に（漏水させずに通水可能として）接続する。
【００２０】
そして、水栓12から供給される水道水が、矢印24のように接続ホース４を（一端側４ａから他端側４ｂへと）流れ、カートリッジ体１の浄水出口部６から入り、内部の濾材40を洗浄して、微小な粒子や微細なゴミと共に、原水取入接続部２から流出し、逆洗再生作業を行う。
そして、逆洗再生作業を終了したら、水道水を止め、ハンドル18を接続板部９のホース接続部位26の方向から後退させて、カートリッジ体１を保持具５から取り外すと共に、接続ホース４を一端側４ａを浄水器本体10の原水出口接続部11から外す。
そして、逆洗再生作業後のカートリッジ体１の原水取入接続部２と、浄水器本体10の原水出口接続部11とを、接続し、通常の使用（浄水）を行う。
【００２１】
次に、図８，図９は逆洗再生装置Ｒの他の実施の形態を示す分解図であり、図10は該逆洗再生装置Ｒの被洗浄対象となる浄水装置Ｃを示す。
図８，図９，図10に示すように、この浄水装置Ｃは、家庭用台所等の水栓12に取付けられて水道水が供給される浄水器本体10と、浄水器本体10に備えられ（後述する）カートリッジ体１が接続する接続部30を有する連結体部32と、該連結体部32の接続部30と連結・分離自在な接続部29を有するカートリッジ体１と、から成り、水道水が、（後述するように）連結体部32内を循環して浄水となる。
浄水器本体10の接続部30は、原水出口接続部11と、浄水取入口19と、を有し、カートリッジ体１の接続部29は、浄水出口部６と、シール部材33が付設され浄水器本体10の原水出口接続部11と密に接続分離自在な原水取入接続部２と、を有する。
【００２２】
そして、逆洗再生装置Ｒは、被洗浄対象のカートリッジ体１の接続部29と同一形状の第１接続部21を一端側４ａに有すると共に浄水器本体10の接続部30と同一形状の第２接続部22を他端側４ｂに有する接続ホース４を、備える。
第２接続部22は雄ねじ50Ａを有する略短円筒形状に形成され、接続部29は雌ねじ50Ｂを有する略短円筒形状に形成され、雄ねじ50Ａと雌ねじ50Ｂにより雄ねじ雌ねじ結合50を成す。
そして、上記接続ホース４の第１接続部21に於て、28は、シール部材33が付設され浄水器本体10の原水出口接続部11と密に接続分離自在な接続部を示し、第２接続部22に於て、23は、カートリッジ体１の原水取入接続部２と密に接続分離自在な排出口を示す。
【００２３】
この逆洗再生装置Ｒの使用方法（取付け方法）について説明する。
浄水装置Ｃの通常の使用状態では、図９及び図10に示すように、浄水器本体10に備えられた切替レバー27を浄水使用状態に切替えると、水栓12から供給された水道水（原水）が、矢印25のように、連結体部32を通り、カートリッジ体１内に、原水取入接続部２から流入して、内部の濾材40（中空糸35）で濾過される。
そして、浄水となって、浄水出口部６から流出して、浄水器本体10の浄水取入口19から流入し、連結体部32を通って、原水浄水出口部34から流出する。
【００２４】
この浄水装置Ｃに於て、浄水器本体10の連結体部32からカートリッジ体１を分離して、図８のように、浄水器本体10の接続部30を接続ホース４の第１接続部21と密に接続すると共に、カートリッジ体１の接続部29を接続ホース４の第２接続部22と密に接続する。
【００２５】
そして、水栓12から水道水を供給すると、この水道水が、矢印25のように、浄水器本体10を通って接続ホース４内へと流れ、カートリッジ体１内に、浄水出口部６から入り、内部の濾材40を洗浄して、原水取入接続部２を通り、第２接続部22の排出口23から流出する。
この過程に於て、水道水が、（通常の使用中に）濾材40に付着した微小な粒子や微細なゴミを洗い取り、逆洗再生作業が行われる。
そして、逆洗再生作業が終了したら、水道水を止め、接続ホース４を取り外して、図10のような状態にして、通常の使用を行う。
【００２６】
以上のように、被洗浄対象の濾過用カートリッジ体１の原水取入接続部２と同一形状の接続部３を一端側４ａに有する接続ホース４と、接続ホース４の他端側４ｂが接続されると共にカートリッジ体１を保持する保持具５と、を備え、かつ、保持具５に保持されたカートリッジ体１の浄水出口部６と接続ホース４の他端側４ｂを密に接続するように構成されるので、浄水器本体10の原水出口接続部11と、カートリッジ体１の浄水出口部６とを、接続ホース４により、容易に、密に（漏水することなく）接続することができる。そして、（台所等の）水栓12から、水道水を流すことにより、カートリッジ体１内に浄水出口部６から（通常の使用状態に於ける水の流れとは逆向きに）流入させることができるので、（中空糸35等の）濾材40に付着した水道水内の微小な粒子やゴミを排出させることができ、容易に逆洗再生作業を行うことができる。
このように、濾材40が汚れてきたら、本発明の逆洗再生装置Ｒで微小な粒子やゴミを取り除く作業を行えば、１台の洗浄器用カートリッジが、永く有効使用可能となり、資源の有効利用になる。
【００２７】
また、保持具５は、接続ホース４の他端側４ｂが接続されたホース接続部位26に、シール部材15を備え、さらに、シール部材15を押圧して浄水出口部６と密に接続するためにカートリッジ体１を弾発的にホース接続部位26の側へ押圧する弾発部材14を備えるので、簡素な構造でありながら、カートリッジ体１の浄水出口部６を、接続ホース４の他端側４ｂが接続されたホース接続部位26に、確実に、密に接続することができ、逆洗再生作業中に水が漏れることがなく、至便である。
【００２８】
また、被洗浄対象の濾過用カートリッジ体１の原水取入接続部２と同一形状の接続部28を一端側４ａに有する接続ホース４と、接続ホース４の他端側４ｂとカートリッジ体１を着脱自在に接続する雄ねじ雌ねじ結合50と、を備え、かつ、雄ねじ雌ねじ結合50によって接続されたカートリッジ体１の浄水出口部６と接続ホース４の他端側４ｂを密に接続するように構成されるので、接続ホース４により浄水器本体10と、カートリッジ体１とを容易に、密に接続することができる。そして、（台所等の）水栓12から、水道水を流せば、カートリッジ体１内に浄水出口部６から（通常の使用状態に於ける水の流れとは逆向きに）流入させることができるので、（中空糸35等の）濾材40に付着した水道水内の微小な粒子やゴミを排出させることができ、容易に逆洗再生作業を行うことができる。
このように、濾材40が汚れてきたら、本発明の逆洗再生装置Ｒで微小な粒子やゴミを取り除く作業を行えば、１台の洗浄器用カートリッジが、永く有効使用可能となり、資源の有効利用になる。
【図面の簡単な説明】
【００２９】
【図１】本発明に係る浄水器カートリッジ用逆洗再生装置の実施の一形態を示す一部断面側面図である。
【図２】保持具を示す平面図である。
【図３】浄水装置を示す分解斜視図である。
【図４】通常使用状態の浄水装置を示す側面図である。
【図５】浄水装置を示す分解側面図である。
【図６】浄水器本体と接続ホースの一端側を示す斜視図である。
【図７】逆洗再生装置の分解側面図である。
【図８】本発明に係る浄水器カートリッジ用逆洗再生装置の他の実施の形態を示す一部断面分解側面図である。
【図９】通常使用状態の浄水装置を示す一部断面分解要部側面図である。
【図１０】通常使用状態の浄水装置を示しており、（ａ）は正面図であり、（ｂ）は側面図である。
【符号の説明】
【００３０】
１    カートリッジ体
２    原水取入接続部
３    接続部
４    接続ホース
４ａ  一端側
４ｂ  他端側
５    保持具
６    浄水出口部
15    シール部材
26    ホース接続部位
28    接続部
50    雄ねじ雌ねじ結合
Ｃ    浄水装置
Ｒ    逆洗再生装置
【図１】
2005087875.tif 000003
【図２】
2005087875.tif 000004
【図３】
2005087875.tif 000005
【図４】
2005087875.tif 000006
【図５】
2005087875.tif 000007
【図６】
2005087875.tif 000008
【図７】
2005087875.tif 000009
【図８】
2005087875.tif 000010
【図９】
2005087875.tif 000011
【図１０】
2005087875.tif 000012